(57)【要約】  本発明は製靴産業に関し、交換用履物、ユーザーの履物コレクションへの履物の追加プロセス、履物販売機、履物流通プロセス及び履物交換プロセスを開示し、より詳細には、当該産業及び／又は履物流通業者と販売店との間や最終顧客への製品の配送に至るまでの現在のロジスティックスプロセスの自動化と最適化を開示する。また、本発明の目的に応じて流通される半足の履物は左足と右足の両方に適応した形状を有していることから、本発明は半足のみの履物の供給を可能とする。このように、商品の製造、販売、流通ロジスティックスチェーンに亘り、本発明は、有利な点として、例えばオートバイ等の小容量車両を用いた在庫補充を可能にしつつ、より多様な製品の選択肢の最終顧客への提供を可能とする。【特許請求の範囲】
【請求項１】
靴ＩＩと靴ＩＩＩからなる１足の靴の交換用半足靴Ｉであって、
前記半足靴Ｉは、ユーザーの左足及び右足の両方に適合した形状を有しており、
前記交換用半足靴Ｉは、前記交換用半足靴Ｉの物的特性であるサイズ、形、装飾性、機能性及び／又は素材により定義される群のうち、少なくとも１つの物的特性に応じてユーザーに選択されることを特徴とする交換用半足靴Ｉ。
【請求項２】
前記靴ＩＩと前記靴ＩＩＩとは同じ構成を有し、
前記半足靴Ｉは、前記靴ＩＩ及び／又は前記靴ＩＩＩとは異なる物的特性を有することを特徴とする請求項１に記載の交換用半足靴Ｉ。
【請求項３】
少なくとも半足靴が含まれるユーザーの靴コレクションへの靴の追加プロセスであって、
前記ユーザーの靴コレクションに含めるために少なくとも１つの半足靴の選択を可能とする工程であって、その選択における選択肢が選択に利用可能な靴が備える複数の物的特性に応じて分類されたものである工程と、
選択された少なくとも１つの半足靴の１つ以上の選択可能な物的特性を、前記ユーザーのコレクションに含まれる少なくとも１つの半足靴の１つ以上の物的特性と組合せる工程と、を含み、
前記半足靴を構成する物的特性は、当該半足靴の選択時にユーザーによって定義されることを特徴とする靴の追加プロセス。
【請求項４】
前記物的特性は、サイズ、形、装飾性、機能性及び／又は素材により定義される群より選択されることを特徴とする請求項１に記載のユーザーの靴コレクションへの靴の追加プロセス。
【請求項５】
前記機能性特性は、香り、音、見た目、性能及び／又はテーマにより定義される群より選択されることを特徴とする請求項２に記載のユーザーの靴コレクションへの靴の追加プロセス。
【請求項６】
前記半足靴は、請求項１又は２において定義した交換用半足靴であることを特徴とする請求項３〜５のいずれか１項に記載のユーザーの靴コレクションへの靴の追加プロセス。
【請求項７】
少なくとも１つの靴収納区画を備える仕切り付き収納部と、
選択インターフェースと、
支払装置と、
配送装置と、
処理モジュールと、
を備え、
各収納区画は、少なくとも１つの特性が共通する半足靴を少なくとも１足分有しており、前記半足靴はユーザーの左足及び右足の両方に適合した形状を有しており、
前記選択インターフェースは、靴の物的特性のうち任意の物的特性に応じて、前記仕切り付き収納部内の利用可能な半足靴の選択肢を提供し、
前記物的特性は、サイズ、形、装飾性、機能性及び／又は素材により定義される群から選択されることを特徴とする靴販売機。
【請求項８】
前記半足靴は、請求項１又は２に記載のものであることを特徴とする請求項７に記載の靴販売機。
【請求項９】
請求項３〜６のいずれか１項に定義されたユーザーの靴コレクションへの靴の追加プロセスを備えることを特徴とする請求項７又は８に記載の靴販売機。
【請求項１０】
前記配送装置は各半足靴を個別に供給することを特徴とする請求項７〜９のいずれか１項に記載の靴販売機。
【請求項１１】
１足の靴を販売した後に前記半足靴の個別の配送が行われることを特徴とする請求項１０に記載の靴販売機。
【請求項１２】
靴を、それらの物的特性に応じて選択された組に分けて収納する工程と、
所要の物的特性に応じて靴を特定する工程と、
靴を分離して取り出す工程と、
靴を発送する工程と、を備え、
前記プロセスの半足靴は、請求項１又は２に記載のものであり、
前記物的特性は、サイズ、形、装飾性、機能性及び／又は素材により定義される群から選択されることを特徴とする靴流通プロセス。
【請求項１３】
前記靴を特定する工程は、請求項７〜１１のいずれか１項に定義された靴販売機により発行された注文を含むことを特徴とする請求項１２に記載の靴流通プロセス。
【請求項１４】
靴を注文する工程と、
靴を受領する工程と、
前記受領した靴とその注文とを比較する工程と、
品切れの靴を交換する工程と、を備え、
前記プロセスの半足靴は、請求項１又は２に記載のものであることを特徴とする靴交換プロセス。
【発明の詳細な説明】
【技術分野】
【０００１】
本発明は、交換用半足靴、ユーザーの靴コレクションへの靴の追加プロセス、靴販売機、靴流通プロセス及び靴交換プロセス、より詳細には靴販売機における交換を記載するものである。本発明は、製靴産業分野に属する。
【背景技術】
【０００２】
製靴業界において、ユーザーの新しい靴や付属品のための技術的解決方法だけではなく、製品の新しい製造・流通・販売戦略の開発のための技術的解決方法の模索が高い関心を集める事項となっている。
【０００３】
１足の靴を構成する左右の半足靴間の不均等摩耗は、その使用期間中の数々な相関し得る要因に起因する共通問題となっている。しかしながら、１足の靴に対する市場の需要は、１足の靴のうちの半足靴（右又は左）に対する需要よりはるかに高く、顧客は１足の靴の片方のみが摩耗した場合であっても、新しい靴を１足丸ごと購入しなければならない。
【０００４】
現在、半足靴は、通常、対になって販売されており、１足のうちの片方のみ、つまり、右側又は左側のみの購入に関心がある場合でも、関心のある片方を交換するために、新しい靴を１足丸ごと購入することを強いられている。
【０００５】
更に、１足の靴を本来必要としないユーザー、例えば、片方の足を有さない障害を持ったユーザーもまた、関心のある靴片方のみを購入できる機会はなく、１足の靴を購入することを強いられている。
【０００６】
また、靴の販売は、一般的に実店舗やオンライン店舗に限られており、前者の場合には、販売用製品の保管やマーケティングに関連する費用の他に、集客のよいロケーションや、販売や店舗管理に精通した人員等の費用を支払う必要がある。オンライン店舗については、販売用製品の保管やマーケティングに関連する費用の他に、オンライン店舗のウェブサイトのメンテナンス、更新、セキュリティ、広告のための費用を要する。高い出費により、（靴店舗に限らないが）実店舗やオンライン店舗は、その利益マージンを確保することを目的として最終顧客への製品価格を引き上げる。時には、この値上げが製品需要を鑑みると販売に直接影響が与える場合もあるが、これは、製品需要は一般的に製品価格に反比例するからである。
【０００７】
費用の削減及び抑制するための他の選択肢として、店舗は、在庫を大量に補充する傾向がある。しかしながら、この戦略は、箱型トラック及び／又はトラックトレイラー等の大型車両を用いてこの業務を行う必要があるため、輸送価格に影響を及ぼす。
【０００８】
このように、同時により多様な選択肢を顧客に提供し、更に、製品の製造、販売、配送チェーンに関与する全ての人の間、例えば、製造拠点と流通センター、流通センターと店舗、店舗と顧客、流通センターと顧客との間等の流通とロジスティックスをより簡易化する効率的なインターフェース手段が常に求められている。
【０００９】
科学的文献・特許文献における先行技術検索により、この課題に関連する以下の文献が見つかった。
【００１０】
特許文献１は、右足及び左足に履ける半足靴製品を開示している。特許文献１の一つの側面において、半足靴製品は、右足及び左足に順応するように構成された内部領域を有するアッパーと、同じく右足及び左足に順応するように構成され、使用中に側方と中央とから足をサポートする変形可能な材料により形成されている中敷きとを備える。しかしながら、特許文献１は、ユーザーの足を収容するために（右足及び左足の両方に順応する）中敷きを適用することを提案し、更に、この特許出願の図１に示されるように、ユーザーの右足と左足の両方がアッパーの内部にフィットするように空隙領域を有する内側前方部を備える。従来技術の半足靴に存在するこのような空隙領域又は凹部は、ユーザーの足がアッパーの内側で動いてしまうことから、ユーザーに不快感やぐらつき感を与えてしまう。この存在する空隙は、靴をユーザーの足に固定する場合にぐらつき感を与えるが、不快感を生じさせるだけでなく、歩行やランニング時に靴を装着している場合にも不都合である。また、特許文献１においては、流通ロジスティックスに関する問題及び交換用の半足の靴製品の販売可能性に関する問題を解決しようとはしていない。このため、本発明は特許文献１とは全く異なる解決策を提示する。
【００１１】
特許文献２は、製品販売機を開示しており、この製品販売機は、支持構造を有する、製品を収納するための筐体と、前記支持構造に固定される、全ての製品用の複数のサポートと、製品サポートのタイプ毎にそれぞれ一つ備けられる複数のＲＦＩＤセンサーと、支払装置と、製品用ディスプレイと、コンピュータ制御システムとを備える。しかしながら、この解決策は、顧客との通信インターフェースとして複数種類のディスプレイ並びに複数種類のサポートを必要とする複雑な構造を有しており、更に、靴販売は不可能であり、前記文献の販売機は靴付属品のみに対応している。また、前記文献は前記靴販売機の在庫管理に対する解決策を開示していない。
【００１２】
特許文献３は、販売機と靴製造に関するものであり、特にサンダルに関するものである。前記文献に開示された販売機は、複数のソールを含むサンダルソールのための区画と、複数のアッパーを含むアッパーのための区画と、ユーザーがソールサイズとアッパーサイズを選択するサイズ選択装置と、支払装置と、選択されたソールにアッパーを組み付けるための機構と、組み付け後の靴をユーザーに対し排出する装置とを備える。しかしながら、この解決策は、組み付け不可能な部材で構成されている靴に対する解決策を開示しておらず、１枚のレイヤーから成る靴に対する解決策さえも開示していない。更に、前記文献は、前記靴販売機の在庫管理に対する解決策を開示していない。
【００１３】
このように、文献検索により本発明の教示を予期又は示唆する文献を見いだすことはできず、本願で提案する解決策は、先行技術に対して新規であり創造的行為を伴うことが明らかである。
【００１４】
このように、より多様な選択肢を顧客に提供し、同時に製靴産業の流通ロジスティックスチェーンを簡素化する靴及び関連システムに対するニーズが明らかである。
【先行技術文献】
【特許文献】
【００１５】
【特許文献１】国際公開２００８／１０９６６０号
【特許文献２】米国特許８３８６０７４号明細書
【特許文献３】米国特許７３１７９６５号明細書
【発明の概要】
【発明が解決しようとする課題】
【００１６】
そこで、本発明は、交換用半足靴、ユーザーの靴コレクションへの靴の追加プロセス、靴販売機及び靴流通プロセス、並びに、靴交換プロセスにより、製靴産業のロジスティックスチェーンを簡素化するように、従来技術の問題を解決すること目的とする。
【課題を解決するための手段】
【００１７】
第１の目的において、本発明は、靴ＩＩと靴ＩＩＩからなる１足の靴の交換用半足靴Ｉであって、前記半足靴Ｉは、ユーザーの左足及び右足の両方に適合した形状を有しており、前記交換用半足靴Ｉは、前記交換用半足靴Ｉの物的特性であるサイズ、形、装飾性、機能性及び／又は素材により定義される群のうち、少なくとも１つの物的特性に応じてユーザーに選択されることを特徴とする交換用半足靴Ｉを開示する。
【００１８】
第２の目的において、本発明は、少なくとも１つの半足靴が含まれるユーザーの靴コレクションへの靴の追加プロセスであって、
前記ユーザーの靴コレクションに含めるために少なくとも１つの半足靴の選択を可能とする工程であって、その選択における選択肢が選択に利用可能な靴が備える複数の物的特性に応じて分類されたものである工程と、
選択された少なくとも１つの半足靴の１つ以上の選択可能な物的特性を、前記ユーザーのコレクションに含まれる少なくとも１つの半足靴の１つ以上の物的特性と組合せる工程と、を含み、
前記半足靴を構成する物的特性は、当該半足靴の選択時にユーザーによって定義されることを特徴とする靴の追加プロセスを開示する。
【００１９】
第３の目的において、本発明は、
少なくとも１つの靴収納区画を備える仕切り付き収納部と、
選択インターフェースと、
支払装置と、
配送装置と、
処理モジュールと、
を備え、
各収納区画は、少なくとも１つの特性が共通する半足靴を少なくとも１足分有しており、前記半足靴はユーザーの左足及び右足の両方に適合した形状を有しており、
前記選択インターフェースは、靴の物的特性のうち任意の物的特性に応じて、前記仕切り付き収納部内の利用可能な半足靴の選択肢を提供し、
前記物的特性は、サイズ、形、装飾性、機能性及び／又は素材により定義される群から選択されることを特徴とする靴販売機を開示する。
【００２０】
第４の目的において、本発明は、
靴を、それらの物的特性に応じて選択された組に分けて収納する工程と、
所要の物的特性に応じて靴を特定する工程と、
靴を分離して取り出す工程と、
靴を発送する工程と、を備え、
前記プロセスの半足靴は、請求項１又は２に記載のものであり、
前記物的特性は、サイズ、形、装飾性、機能性及び／又は素材により定義される群から選択されることを特徴とする靴流通プロセスを開示する。
【００２１】
第５の目的において、本発明は、
靴を注文する工程と、
靴を受領する工程と、
前記受領した靴とその注文とを比較する工程と、
品切れの靴を交換する工程と、を備え、
前記プロセスの半足靴は、請求項１又は２に記載のものであることを特徴とする靴交換プロセスを開示する。
【発明の効果】
【００２２】
また、保護を請求する文脈における共通の発明概念は、より汎用的な半足靴及びより多くのカスタマイズ用の選択肢を顧客に提供するということである。更に、本発明の実施の形態は、商品の製造、流通、販売、流通ロジスティックスチェーンを大幅に簡素化する。
【００２３】
本発明の上記及びその他の目的は、当業者及びこの分野に興味のある企業であれば即座に認識され得るものであり、以下、その実施のために十分な説明が詳細に記載される。
【発明を実施するための形態】
【００２４】
本発明は、交換用半足靴、特に、履物製品、ユーザーの靴コレクションへの靴の追加プロセス、靴販売機及び靴流通プロセス、並びに、靴交換プロセスにより、製靴産業のロジスティックスチェーンを簡素化し、且つ、最終顧客が関心のある靴を購入する際の支援をするように、先行技術の問題を解決することを目的とする。
【００２５】
第一の目的において、本発明は、靴ＩＩ／靴ＩＩＩからなる１足の靴用の交換用半足靴Ｉを開示するものであり、該交換用半足靴Ｉはユーザーの右足及び左足の両方に適応した形状を有しており、前記交換用半足靴Ｉは、前記交換用半足靴Ｉの物的特性であるサイズ、形、装飾性、機能性、及び／又は素材により定義される群のうち少なくとも１つの物的特性に応じてユーザーに選択される。
【００２６】
本発明の交換用半足靴Ｉの一の実施の形態において、靴ＩＩと靴ＩＩＩとは同じ構成を有し、半足靴Ｉは、靴ＩＩ及び／又は靴ＩＩＩとは異なる物的特性（サイズ、形、装飾性、機能性及び／又は素材）を呈する。
【００２７】
本発明の交換用靴の一の実施の形態において、前記の美的特性は装飾特性であり、形の特性は形状の特性であり、サイズ特性は半足靴のそれぞれのサイズに関する特性であり、素材特性は、半足靴を構成する素材の特性である。
【００２８】
一の実施の形態において、本発明の半足靴は交換用半足靴であり、１足の靴のうち、紛失した、或いは、使用により摩耗した少なくとも片方の靴、即ち、履物製品を交換するためのものである。本発明の交換用靴は、右足及び左足の両方に適応した形状を有することにより、１足の靴の片方が紛失、或いは、摩耗した（何らかの理由により起こり得る事象）場合であったとしても、顧客は、新しい１足の靴の丸ごとではなく、必要に応じて新しい半足靴を購入することができる。
【００２９】
一の実施の形態において、本発明の交換用半足靴は、ブラジル特許公開公報１０  ２０１４  ０１８８６９号に記載の靴である。
【００３０】
第二の目的において、本発明は、少なくとも１つの半足靴を含むユーザーの靴コレクションへの靴の追加プロセスを開示するものであり、前記靴を追加するためのプロセスは、
ユーザーの靴コレクションに含めるために少なくとも１つの半足靴又は履物製品を選択することを可能とする工程であり、その選択における選択肢が選択に利用可能な靴が備える複数の物的特性に応じて分類されている工程と、
選択された少なくとも１つの半足靴の１つ以上の選択可能な物的特性を、前記ユーザーのコレクションに含まれる少なくとも１つの半足靴の１つ以上の物的特性と組合せる工程とを含み、
前記半足靴を構成する物的特性は、前記半足靴を選択する際にユーザーによって定義される。
【００３１】
半足靴を構成する選択可能な物的特性は、サイズ、形、装飾性特性、機能性特性及び／又は素材により定義される群から選択される。機能性特性は、香り、音、見た目、性能及び／又はテーマにより定義される群から選択される。
【００３２】
本発明の文脈において、「コンテナ」という用語は、紙、ポリマー又は布製の箱、パッケージ又は袋、或いは、それらの組み合わせ等の収納・輸送媒体として理解され得る。更に、コンテナは、剛性の高いものであってもよいし、可撓性のあるものでもよい。
【００３３】
第三の目的において、本発明は、靴販売機を開示するものであり、前記靴販売機は、
少なくとも１つの靴収納区画から成る仕切り付き収納部と、
選択インターフェースと、
支払装置と、
配送装置と、
処理モジュールと、を有し、
各収納区画は、少なくとも１つの共通特性を持つ半足靴を少なくとも１足分有しており、該半足靴はユーザーの左足と右足の両方に適応された形状を有し、
選択インターフェースは、前記半足靴の物的特性のうちの任意の物的特性に応じて、仕切り付き収納部内の利用可能な半足靴の選択肢を提供し、
物的特性は、サイズ、形、特性、装飾性、機能性及び／又は素材により定義される群から選択される。
【００３４】
本発明の靴販売機は、好適な実施の形態において、半足靴を個々に提供する配送装置を開示し、これにより、ユーザーが、必要に応じて単一の履物製品を購入することを可能とし及び／又はある装飾が施された履物製品と、これとは異なる装飾が施された別の履物製品とを組み合わせることを可能とする。更に、靴販売機により販売される半足靴は、ユーザーの右足と左足の両方の解剖学的構造に適応可能な形状を有している。提供されるカスタマイズ用の選択肢と相まってこのような半足靴の形状特性により、本発明の靴販売機は従来技術と比べてより広範囲な顧客販売用の靴の選択肢を備える。更に、該靴販売機は、販売した半足靴のパッケージング装置を備えており、靴は個々に包装される。
【００３５】
前記靴販売機の処理モジュールは、インターネットとの通信機能を少なくとも１つ備え、通信機能により、靴販売機は、仕切り付き収納部において利用不可能な１つの半足靴又は少量の靴を依頼することができる。更に、処理モジュールは、選択インターフェース、支払装置及び配送装置を動作させる。また、処理モジュールは、仕切り付き収納部において動作する。靴販売機に存在する処理モジュールは、また、インターネットとの接続機能を少なくとも１つ備えており、当該機能は、金融業者との（支払装置に関する）通信及び／又は靴流通業者との（靴の在庫補充の依頼に関する）通信に持いられる。
【００３６】
前記靴販売機が切り付き収納部内で利用可能な選択肢を提示した状態で、靴販売機の選択インターフェースはユーザーが所望の半足靴の選択ができるようにする。そのため、選択インターフェースは、自身の収納部内の利用可能な靴を特定する装置、例えば、在庫補充の再に収納部に配置される靴を特定するＲＦＩＤやＯＣＲタイプのセンサーを備える。
【００３７】
更に、選択インターフェースは、事前販売用の靴モデルのカタログを提供し、顧客から注文の支払レシートが提出された際に、工場に対し前記靴を発注する。このようにして、顧客は、いつでもより広い範囲の靴が利用可能である。
【００３８】
更に、選択インターフェースは、顧客に双方向メニューを提供する。その結果、顧客は自身が望む靴モデルを選択し、そうした上で、靴をカスタマイズするために靴の諸特性を変更し、その後、靴販売機からカスタマイズされた靴を事前注文することが可能となる。
【００３９】
購入時に仕切り付き収納部では入手不可能な半足靴、即ち、靴製造業者のカタログにおいて利用可能な特定のモデル、又は、自身がカスタマイズした半足靴を依頼することを決めたユーザーの利便性を高めるために、選択インターフェースはユーザーとの通信機能を備えており、これにより、依頼された製品の引き取りの準備が完了となったことをユーザーに通知することができる。
【００４０】
第四の目的において、本発明は靴流通プロセスを開示し、該靴流通プロセスは、
靴を、種別、サイズ及び機能要素に応じて選択された組に分けて収納する工程と、
種別、サイズ及び所要の機能要素に応じて靴を特定する工程と、
靴を分離して取り出す工程と、
靴を発送する工程と、を含んでおり、
前記プロセスの半足靴は、ユーザーの左足と右足の両方に適応された形状を有する。
【００４１】
靴を収納する工程及び／又は靴を特定する工程に関し、半足靴は右足及び左足の両方に適応した形状を有していることから、これらの工程は、どちら側（右側又は左側）の靴かを特定する必要がなく、種別、サイズ及び機能要素のみに応じて収納及び特定されるという最適化された様式で行われる。この半足靴の形状により、必要な収納場所はより小さく及び／又は必要な包装用素材はより少なくてすむことになり、したがって従来技術のロジスティックスプロセスと比べて場所の利用が最適化される。
【００４２】
更に、靴流通プロセスは包装工程を含み、各半足靴が単独で包装される。
【００４３】
発送工程に関し、この工程は靴包装後に行われ、同じ技術的特性を有する靴をグループ化することにより最適化され、これにより輸送車両の貨物室内の使用エリアが小さくて済む。そのため、都市部用の貨物バントラック、ピックアップトラック、バン、自動車、又は、自動二輪車等の小型の輸送車両を用いることができる。
【００４４】
注文特定工程に関し、この工程は、販売業者又は上記したように靴販売機が注文を準備することで行われてもよい。この場合、靴販売機は自身の靴収納部内で在庫の少ない靴を特定する機能を備えており、前記機能は自身の収納部における靴在庫の所定の最小制限に基づき靴の補充注文を自動的に行う。
【００４５】
第５の目的において、本発明は靴交換プロセスを開示し、該プロセスは、
半足靴を注文する工程と、
半足靴を受け取る工程と、
受け取った半足靴と、注文したものと比較する工程と、
在庫が不足している靴を交換する工程と、を含み、
前記プロセスの半足靴はユーザーの左足と右足の両方に適応された形状を有する。
【００４６】
販売業者への補充注文ではなく準備のために在庫における靴の種別と量とを特定する工程に関し、一の実施の形態において、前記靴の種別及び種類の特定工程は靴販売機により実行される。更に、一の実施の形態において、注文工程は靴販売機により実行され、それをモニターする人間を雇用する必要がない。
【００４７】
このような実施の形態においては、本発明は、靴の半足のみを供給することを可能とする。これは、本発明の目的に従い流通される半足靴は右足及び左足の両方に適応した形状を有しているからである。このように、本発明は汎用性を向上し、顧客の興味に応じてカスタマイズ用の選択肢を無限に提供する。
【００４８】
一の実施の形態において、本発明は、１足の靴の定番の販売後に個々の半足靴を販売するように最適化されており、専用の靴の選択肢に興味のある顧客及び／又は靴の半足のみを購入する必要のある顧客（例えば、１足の靴のうち片方を紛失した場合や、靴が不均等に摩耗した場合、顧客の両足にかなりのサイズ差がある場合、異なるサイズの半足靴からなる１足の靴を購入することが最終顧客にとってより快適となる場合）をアシストするものである。
【００４９】
当業者であれば、ここに教示する内容を理解し、上記した実施の形態及び添付の特許請求の範囲内におけるその他の変形形態を用いることで、本発明を実施することができるであろう。
【国際調査報告】
2017534424.tif 000002
2017534424.tif 000003
2017534424.tif 000004
2017534424.tif 000005
2017534424.tif 000006
2017534424.tif 000007